(57)【要約】  本発明は、脱臭モジュール及びこれを含む電子装置に関する。一実施形態によると、脱臭モジュールは、吸入口及び排出口が形成されたハウジングと、吸入口と排出口との間に配置されるファンと、吸入口とファンとの間に配置される光触媒フィルターと、基板及び紫外線光源を含み、光触媒フィルターに紫外線を照射する光源モジュールと、ファンと排出口との間に配置されるイオン発生器とを含む。
2020517367.tif 000002
【特許請求の範囲】
【請求項１】
吸入口及び排出口が形成されたハウジング、
前記吸入口と前記排出口との間に配置されるファン、
前記吸入口と前記ファンとの間に配置される光触媒フィルター、
基板及び紫外線光源を含み、前記光触媒フィルターに紫外線を照射する光源モジュール、及び
前記ファンと前記排出口との間に配置されるイオン発生器、を含む脱臭モジュール。
【請求項２】
前記光触媒フィルターは、前記ハウジングの一方の面に配置され、
前記光源モジュールは、前記ハウジングの他方の面に配置される、請求項１に記載の脱臭モジュール。
【請求項３】
前記光触媒フィルターは、前記ハウジングの一方の面及び他方の面にそれぞれ配置され、
前記光源モジュールは、前記ハウジングの一方の面に配置された前記光触媒フィルターと前記ハウジングの他方の面に配置された前記光触媒フィルターとの間に配置される、請求項１に記載の脱臭モジュール。
【請求項４】
前記光源モジュールは、前記ハウジングの一方の面に配置された前記光触媒フィルター及び前記ハウジングの他方の面に配置された前記光触媒フィルターにそれぞれ紫外線を照射する、請求項３に記載の脱臭モジュール。
【請求項５】
前記光触媒フィルターが前記ハウジングの上面に配置される場合、前記光源モジュールは前記ハウジングの下面に配置され、
前記光触媒フィルターが前記ハウジングの下面に配置される場合、前記光源モジュールは前記ハウジングの上面に配置される、請求項１に記載の脱臭モジュール。
【請求項６】
前記光触媒フィルターは、前記ハウジングの上面及び下面にそれぞれ配置され、
前記光源モジュールは前記光触媒フィルター間に配置され、
前記光源モジュールは、前記ハウジングの上面に配置された前記光触媒フィルター及び前記ハウジングの下面に配置された前記光触媒フィルターにそれぞれ紫外線を照射する、請求項１に記載の脱臭モジュール。
【請求項７】
前記光源モジュールは、前記ハウジングの一方の面及び他方の面又は前記ハウジングの上面及び下面にそれぞれ配置され、
前記光触媒フィルターは、前記光源モジュール間に配置される、請求項１に記載の脱臭モジュール。
【請求項８】
前記ファンと前記イオン発生器との間に形成される流路ガイドをさらに含む、請求項１に記載の脱臭モジュール。
【請求項９】
前記流路ガイドは、一側が前記ハウジングの下面と接し、他側が前記イオン発生器の一方の面の上端と接するように形成される、請求項８に記載の脱臭モジュール。
【請求項１０】
前記流路ガイドの上面は、傾斜するように配置された平面であるか、下側に凹状の曲面である、請求項９に記載の脱臭モジュール。
【請求項１１】
前記ハウジングは、前記ファンを固定するファン固定部をさらに含み、
前記ファン固定部は、前記ファンの少なくとも両方の側面が挿入されるように形成された、請求項１に記載の脱臭モジュール。
【請求項１２】
前記ハウジングは、前記ファン固定部の両側から前記ハウジングの一方の面及び他方の面に延長されるように形成された第１内壁をさらに含む、請求項１１に記載の脱臭モジュール。
【請求項１３】
前記第１内壁の上面は前記ハウジングの上面と接し、前記第１内壁の下面は前記ハウジングの下面と接する、請求項１２に記載の脱臭モジュール。
【請求項１４】
前記ハウジングは、前記ハウジングの一方の面及び他方の面から延長され、前記イオン発生器の両方の側面と接するように形成された第２内壁をさらに含む、請求項１に記載の脱臭モジュール。
【請求項１５】
前記第２内壁は、前記イオン発生器と同一であるか、イオン発生器より低い高さを有するように形成された、請求項１４に記載の脱臭モジュール。
【請求項１６】
前記第２内壁は、前記イオン発生器よりも高い高さを有するように形成された、請求項１４に記載の脱臭モジュール。
【請求項１７】
前記光源モジュールと前記光触媒フィルターとの間の距離は、前記光源モジュールと前記ファンとの間の距離より遠い、請求項１に記載の脱臭モジュール。
【請求項１８】
前記光源モジュールと前記光触媒フィルターとの間の距離は、前記光源モジュールと前記ファンとの間の距離の０．５倍以上である、請求項１７に記載の脱臭モジュール。
【請求項１９】
前記光源モジュールを固定する光源モジュール固定部をさらに含む、請求項１に記載の脱臭モジュール。
【請求項２０】
前記光源モジュール固定部は、前記光源モジュールの両方の側面が挿入されるように形成された挿入部を含む第１光源モジュール固定部を含む、請求項１９に記載の脱臭モジュール。
【請求項２１】
前記第１光源モジュール固定部は、前記挿入部の下部に形成され、前記挿入部を支持する支持部をさらに含む、請求項２０に記載の脱臭モジュール。
【請求項２２】
前記光源モジュール固定部は、前記ハウジングの下面から上部に突出するように形成され、前記光源モジュールの上部側面と接触する第２光源モジュール固定部をさらに含む、請求項２０に記載の脱臭モジュール。
【請求項２３】
前記光触媒モジュールを固定する光触媒モジュール固定部をさらに含む、請求項１に記載の脱臭モジュール。
【請求項２４】
前記光触媒モジュール固定部は、前記光触媒モジュールの両方の側面が挿入されるように形成された、請求項２３に記載の脱臭モジュール。
【請求項２５】
前記光触媒モジュール固定部は、前記ハウジングの吸入口から離隔した位置に形成され、
前記光触媒モジュール固定部と前記吸入口との間に前記光触媒モジュールが挿入される、請求項２３に記載の脱臭モジュール。
【請求項２６】
内部空間を有する電子装置ハウジング、及び
前記電子装置ハウジングに装着され、前記内部空間の空気を脱臭する脱臭モジュール、を含み、
前記脱臭モジュールは、
前記内部空間の空気が流入する吸入口、及び脱臭された空気が排出される排出口が形成されたハウジング、
前記吸入口と前記排出口との間に配置されるファン、
前記吸入口と前記ファンとの間に配置される光触媒フィルター、
基板及び紫外線光源を含み、前記光触媒フィルターに紫外線を照射する光源モジュール、及び
前記ファンと前記排出口との間に配置されるイオン発生器、を含む電子装置。
【発明の詳細な説明】
【技術分野】
【０００１】
本発明は、脱臭モジュール及びこれを含む電子装置に関する。
【背景技術】
【０００２】
冷蔵庫、家具、車両、室内などでは、様々な有害物質によって悪臭が発生する。冷蔵庫では、食べ物の腐敗によって悪臭が発生し、家具、車両、室内などでは、風通しがよくないため悪臭が発生する。また、家具、車両、室内などでは、これらを構成する材質から放出された揮発性有機化合物などによって悪臭が発生する。
【０００３】
このような悪臭を除去するために、フィルター方式、イオン及びオゾン発生方式、紫外線照射方式などの多様な方式の脱臭モジュールが使用されている。
【０００４】
一般的に、脱臭モジュールは、様々な方式のうち一つの方式で脱臭が行われるように構成されている。しかし、一つの方式が適用された脱臭モジュールにおいては、多量の空気が吸入されると、空気の脱臭が十分に行われないという問題がある。
【発明の概要】
【発明が解決しようとする課題】
【０００５】
本発明が解決しようとする課題は、空気を脱臭できる脱臭モジュールを提供することにある。
【０００６】
本発明が解決しようとする他の課題は、イオン及び光触媒を用いた脱臭モジュールを提供することにある。
【０００７】
本発明が解決しようとする更に他の課題は、多量の空気が吸入された場合にも十分な脱臭が可能な脱臭モジュールを提供することにある。
【０００８】
本発明が解決しようとする更に他の課題は、脱臭効率向上を導出するように各構成部の配置及び構造を考慮した脱臭モジュールを提供することにある。
【課題を解決するための手段】
【０００９】
本発明の一実施形態によると、吸入口及び排出口が形成されたハウジングと、吸入口と排出口との間に配置されるファンと、吸入口とファンとの間に配置される光触媒フィルターと、基板及び紫外線光源を含み、光触媒フィルターに紫外線を照射する光源モジュールと、ファンと排出口との間に配置されるイオン発生器とを含む脱臭モジュールが提供される。
【発明の効果】
【００１０】
本発明の実施形態によると、脱臭モジュールは、イオン及び光触媒の両方を用いることによって脱臭効率が向上する。
【００１１】
また、本発明の実施形態によると、脱臭モジュールは、空気を二重で脱臭するため、多量の空気が吸入された場合にも十分な脱臭が可能である。
【００１２】
また、本発明の実施形態によると、脱臭モジュールは、各構成部の配置及び構造を考慮してイオンと有機化合物との間の化学的反応及び光触媒反応が最適に行われるようにすることができる。
【図面の簡単な説明】
【００１３】
【図１】本発明の第１実施形態に係る脱臭モジュールを示した例示図である。
【図２】本発明の第１実施形態に係る脱臭モジュールを示した例示図である。
【図３】本発明の第１実施形態に係る脱臭モジュールを示した例示図である。
【図４】本発明の第１実施形態に係る脱臭モジュールを示した例示図である。
【図５】本発明の第２実施形態に係る脱臭モジュールを示した例示図である。
【図６】本発明の第３実施形態に係る脱臭モジュールを示した例示図である。
【図７】本発明の第３実施形態に係る脱臭モジュールを示した例示図である。
【図８】本発明の第４実施形態に係る脱臭モジュールを示した例示図である。
【図９】本発明の第５実施形態に係る脱臭モジュールを示した例示図である。
【図１０】本発明の第６実施形態に係る脱臭モジュールを示した例示図である。
【図１１】本発明の第７実施形態に係る脱臭モジュールを示した例示図である。
【図１２】本発明の第８実施形態に係る脱臭モジュールを示した例示図である。
【図１３】本発明の第９実施形態に係る脱臭モジュールを示した例示図である。
【図１４】本発明の第１０実施形態に係る脱臭モジュールを示した例示図である。
【図１５】本発明の第１１実施形態に係る脱臭モジュールを示した例示図である。
【図１６】本発明の第１２実施形態に係る脱臭モジュールを示した例示図である。
【図１７】本発明の第１３実施形態に係る脱臭モジュールを示した例示図である。
【図１８】本発明の第１３実施形態に係る脱臭モジュールを示した例示図である。
【発明を実施するための形態】
【００１４】
以下、添付の各図面を参照して本発明の各実施形態を詳細に説明する。次に紹介する各実施形態は、当業者に本発明の思想を十分に伝達するための例示として提供されるものである。よって、本発明は、以下で説明する各実施形態に限定されるものではなく、他の形態に具体化されてもよい。そして、各図面において、構成要素の幅、長さ、厚さなどは、便宜のために誇張して表現する場合がある。明細書全体にわたって同一の参照番号は同一の構成要素を示し、類似する参照番号は、対応する類似する構成要素を示す。
【００１５】
本発明の一実施形態によると、脱臭モジュールは、吸入口及び排出口が形成されたハウジングと、吸入口と排出口との間に配置されるファンと、吸入口とファンとの間に配置される光触媒フィルターと、基板及び紫外線光源を含み、光触媒フィルターに紫外線を照射する光源モジュールと、ファンと排出口との間に配置されるイオン発生器とを含む。
【００１６】
光触媒フィルターはハウジングの一方の面に配置されてもよい。このとき、光源モジュールはハウジングの他方の面に配置される。
【００１７】
また、光触媒フィルターは、ハウジングの一方の面及び他方の面にそれぞれ配置されてもよい。このとき、光源モジュールは、ハウジングの一方の面に配置された光触媒フィルターとハウジングの他方の面に配置された光触媒フィルターとの間に配置される。また、光源モジュールにおいては、基板の両面に紫外線光源がそれぞれ実装されてもよい。又は、基板の一つの面に紫外線光源が実装された２個の光源モジュールを含んでもよい。一つの光源モジュールは、ハウジングの一方の面に配置された光触媒フィルターに紫外線を放出するように配置される。そして、他の一つの光源モジュールは、ハウジングの他方の面に配置された光触媒フィルターに紫外線を放出するように配置される。また、２個の光源モジュールは、互いに離隔するように配置されてもよい。また、光触媒フィルターはハウジングの上面に配置されてもよい。このとき、光源モジュールはハウジングの下面に配置される。
【００１８】
また、光触媒フィルターはハウジングの下面に配置されてもよい。このとき、光源モジュールはハウジングの上面に配置される。
【００１９】
また、光触媒フィルターは、ハウジングの上面及び下面にそれぞれ配置されてもよい。このとき、光源モジュールは各光触媒フィルターの間に配置される。
【００２０】
また、光源モジュールは、ハウジングの一方の面及び他方の面にそれぞれ配置されてもよい。このとき、光触媒フィルターは各光源モジュールの間に配置される。また、光源モジュールにおいては、基板の両面に紫外線光源がそれぞれ実装されてもよい。又は、基板の一つの面に紫外線光源が実装された２個の光源モジュールを含んでもよい。一つの光源モジュールは、ハウジングの上面に配置された光触媒フィルターに紫外線を放出するように配置される。そして、他の一つの光源モジュールは、ハウジングの下面に配置された光触媒フィルターに紫外線を放出するように配置される。また、２個の光源モジュールは互いに離隔して配置されてもよい。
【００２１】
また、光源モジュールは、ハウジングの上面及び下面にそれぞれ配置されてもよい。このとき、光触媒フィルターは各光源モジュールの間に配置される。
【００２２】
脱臭モジュールは、ファンとイオン発生器との間に形成される流路ガイドをさらに含んでもよい。流路ガイドは、一側がハウジングの下面と接し、他側がイオン発生器の一方の面の上端と接するように形成される。また、流路ガイドの上面は、傾斜するように配置された平面であってもよく、下側に凹状の曲面であってもよい。
【００２３】
ハウジングは、ファンを固定する固定部をさらに含んでもよい。固定部は、ファンの両方の側面が挿入されるように形成されてもよい。
【００２４】
ハウジングは、固定部の両側からハウジングの一方の面及び他方の面に延長されるように形成された第１内壁をさらに含んでもよい。第１内壁の上面はハウジングの上面と接し、第１内壁の下面はハウジングの下面と接するように形成される。
【００２５】
ハウジングは、ハウジングの一方の面及び他方の面から延長され、イオン発生器の両方の側面と接するように形成された第２内壁をさらに含んでもよい。第２内壁は、イオン発生器と同一か、イオン発生器より低くなるように形成される。又は、第２内壁は、イオン発生器より高くなるように形成される。
【００２６】
光源モジュールと光触媒フィルターとの間の距離は、光源モジュールとファンとの間の距離より遠い。より詳細には、光源モジュールと光触媒フィルターとの間の距離は、光源モジュールとファンとの間の距離の０．５倍以上である。
【００２７】
ハウジングは、光源モジュールを固定する光源モジュール固定部をさらに含んでもよい。
【００２８】
このとき、光源モジュール固定部は、光源モジュールの両方の側面が挿入されるように形成された挿入部を含む第１光源モジュール固定部を含む。
【００２９】
第１光源モジュール固定部は、挿入部の下部に形成され、挿入部を支持する支持部をさらに含んでもよい。
【００３０】
光源モジュール固定部は、ハウジングの下面から上部に突出するように形成され、光源モジュールの上部側面と接触する第２光源モジュール固定部をさらに含んでもよい。
【００３１】
ハウジングは、光触媒モジュールを固定する光触媒モジュール固定部をさらに含んでもよい。光触媒モジュール固定部は、光触媒モジュールの両方の側面が挿入されるように形成されてもよい。又は、光触媒モジュール固定部は、ハウジングの吸入口から離隔した位置に形成されてもよい。このとき、光触媒モジュール固定部と吸入口との間に光触媒モジュールが挿入される。
【００３２】
図１〜図４は、本発明の第１実施形態に係る脱臭モジュールを示した例示図である。
【００３３】
図１は、脱臭モジュール（１００）の外側を示し、図２は、脱臭モジュール（１００）の平面図であり、図３は、脱臭モジュール（１００）の側面図であり、図４は、脱臭モジュール（１００）の斜視図である。
【００３４】
図１〜図４を参照すると、脱臭モジュール（１００）は、ハウジング（１１０）、ファン（１２０）、光触媒フィルター（１３０）、光源モジュール（１４０）及びイオン発生器（１５０）を含む。
【００３５】
ハウジング（１１０）は、空気の脱臭が行われる空間を提供する。
【００３６】
ハウジング（１１０）の一方の面には吸入口（１１１）が形成され、ハウジング（１１０）の一方の面と向かい合う他方の面には排出口（１１５）が形成される。吸入口（１１１）及び排出口（１１５）は空気通路である。より詳細には、吸入口（１１１）は、脱臭モジュール（１００）の外部の空気が内部に入っていく通路であって、排出口（１１５）は、脱臭モジュール（１００）の内部で脱臭された空気が脱臭モジュール（１００）の外部に排出される通路である。本実施形態において、吸入口（１１１）と排出口（１１５）がハウジング（１１０）の互いに向かい合う面に形成されたことを例示として説明しているが、吸入口（１１１）及び排出口（１１５）の位置はこれに限定されるわけではなく、吸入口（１１１）及び排出口（１１５）の位置は当業者の選択によって変更可能である。
【００３７】
図２〜図４を参照すると、ハウジング（１１０）の内部には、ファン（１２０）、光触媒フィルター（１３０）、光源モジュール（１４０）及びイオン発生器（１５０）が配置される。
【００３８】
ファン（１２０）は、光源モジュール（１４０）とイオン発生器（１５０）との間に配置される。ファン（１２０）は、光触媒フィルター（１３０）及び光源モジュール（１４０）によって脱臭された空気を吸入してイオン発生器（１５０）の方向に排出する。ファン（１２０）は、ハウジング（１１０）の内部の空気の流れを誘導することによって、光触媒フィルター（１３０）及び光源モジュール（１４０）によって一次脱臭された空気がイオン発生器（１５０）によって二次脱臭されるようにする。また、ファン（１２０）は、内部の空気の流れを誘導することによって、イオン発生器（１５０）のイオンが光触媒フィルター（１３０）まで拡散されることを防止する。
【００３９】
本発明の実施形態において、ファン（１２０）は、軸流ファン（Ａｘｉａｌ−Ｆｌｏｗ  Ｆａｎ）である。軸流ファンは、空気の流れ方向がファンの回転軸と平行な送風機であって、一度に多量の空気を吸入及び排出することができる。ファン（１２０）が軸流ファンであることを例示として説明するが、ファン（１２０）の種類がこれに限定されることはない。ファン（１２０）は、当業者の選択によって公知のファンのうちいずれのものであってもよい。
【００４０】
光触媒フィルター（１３０）は、ハウジング（１１０）の吸入口（１１１）とファン（１２０）との間に配置される。
【００４１】
光触媒フィルター（１３０）は、複数の貫通穴を有するバー（Ｂａｒ）構造で形成される。例えば、光触媒フィルター（１３０）は、多孔性セラミック材質で形成される。又は、光触媒フィルター（１３０）は、ニッケル（Ｎｉ）、鉄（Ｆｅ）、アルミニウム（Ａｌ）、クロム（Ｃｒ）などを含む金属フォーム（Ｆｏａｍ）材質で形成される。このような光触媒フィルター（１３０）の表面には光触媒物質がコーティングされる。光触媒物質は、ＴｉＯ２、ＺｎＯ、ＺｒＯ２、ＷＯ３の一群のグループの少なくとも一つを含む。又は、光触媒フィルター（１３０）自体が光触媒物質を含むことも可能である。
【００４２】
光触媒フィルター（１３０）は、吸入口（１１１）と光源モジュール（１４０）との間に配置され、吸入口（１１１）の近くに配置される。また、光触媒フィルター（１３０）は、全ての側面がハウジング（１１０）の内部面と接するか近接するように形成されてもよい。よって、吸入口（１１１）を介してハウジング（１１０）の内部に入ってきた全ての空気は、光触媒フィルター（１３０）の貫通穴を通過するようになる。したがって、吸入口（１１１）に入ってきた全ての空気が光触媒フィルター（１３０）によって脱臭されるので、脱臭モジュール（１００）の脱臭効率が向上する。
【００４３】
光源モジュール（１４０）は、ファン（１２０）と光触媒フィルター（１３０）との間に配置される。光源モジュール（１４０）は、基板（１４１）及び紫外線光源（１４２）を含む。
【００４４】
基板（１４１）は、紫外線光源（１４２）と電気的に接続され、紫外線光源（１４２）に電源を供給する。例えば、基板（１４１）は、印刷回路基板又は金属印刷回路基板であってもよい。光源モジュール（１４０）は、放熱のために放熱板（図示せず）をさらに含んでもよい。
【００４５】
紫外線光源（１４２）は、基板（１４１）の一つの面に実装され、光触媒フィルター（１３０）に紫外線を照射する。例えば、紫外線光源（１４２）は発光ダイオードチップである。紫外線光源（１４２）は、基板（１４１）に一つ又は複数個が実装されてもよい。複数個の紫外線光源（１４２）が実装されると、光触媒フィルター（１３０）に紫外線を均一に照射することができる。紫外線光源（１４２）の個数は、当業者が必要に応じて変更可能である。また、紫外線光源（１４２）が複数個である場合、少なくとも一つの紫外線光源（１４２）は、他の紫外線光源（１４２）と異なる波長の光を放出することができる。また、紫外線光源（１４２）が複数個である場合、少なくとも一つの紫外線光源（１４２）は、殺菌効果を有する紫外線を放出し、空気を殺菌することができる。
【００４６】
本発明の実施形態によると、紫外線光源（１４２）から放出される紫外線と光触媒フィルター（１３０）の光触媒物質との反応によって超酸化物イオン及びヒドロキシラジカルなどの活性酸素が生成される。活性酸素は、汚染物質又は悪臭物質である有機化合物を分解させて除去するようになる。
【００４７】
このような光触媒反応によって形成された活性酸素により、空気は、光触媒フィルター（１３０）の貫通穴を通過するとき、又は光触媒フィルター（１３０）と光源モジュール（１４０）との間を移動するときに一次脱臭される。また、光触媒反応により、空気の脱臭のみならず、空気の殺菌も行われ得る。
【００４８】
このように、光触媒フィルター（１３０）及び光源モジュール（１４０）によって一次脱臭された空気は、ファン（１２０）によってイオン発生器１５０の方向に移動する。
【００４９】
光触媒フィルター（１３０）と光源モジュール（１４０）との間の距離が近すぎると、紫外線が光触媒フィルター（１３０）の全体でなく一部分にのみ照射され得る。しかし、光触媒フィルター（１３０）と光源モジュール（１４０）との間の距離が遠すぎると、光触媒フィルター（１３０）に照射される紫外線の光量が減少し、脱臭効率が低下し得る。
【００５０】
また、光源モジュール（１４０）とファン（１２０）との間の距離が近すぎると、光源モジュール（１４０）により、ファン（１２０）に吸入される空気の圧力損失が増加し得る。
【００５１】
したがって、光触媒フィルター（１３０）に紫外線が照射される面積、光量及び光源モジュール（１４０）による空気の圧力損失を考慮して光触媒フィルター（１３０）、光源モジュール（１４０）及びファン（１２０）が配置されなければならない。光源モジュール（１４０）と光触媒フィルター（１３０）との間の距離は、光源モジュール（１４０）とファン（１２０）との間の距離より遠い。例えば、光源モジュール（１４０）と光触媒フィルター（１３０）との間の距離は、光源モジュール（１４０）とファン（１２０）との間の距離の０．５倍以上である。
【００５２】
イオン発生器（１５０）は、一次脱臭された空気を二次脱臭する。イオン発生器（１５０）は多量のイオンを排出する。イオン発生器（１５０）から排出されたイオンは、空気内の有機化合物と化学的に反応する。空気は、イオンと有機化合物との間の化学的反応によって脱臭及び殺菌される。
【００５３】
イオン発生器（１５０）は、イオン排出口（１１５）がハウジング（１１０）の内部の上面に向くように配置される。よって、空気がハウジング（１１０）の排出口（１１５）に移動しながらイオン排出口（１１５）の上部を通過するようになり、空気とイオンが効率的に反応し得る。
【００５４】
このように、脱臭モジュール（１００）が空気を二重に脱臭するので、光触媒反応及びイオンと有機化合物との間の化学的反応のうち一つの方式のみを用いるときよりも性能が向上する。また、脱臭モジュール（１００）が空気を二重に脱臭するので、多量の空気がハウジング１１０の内部に流入した場合にも脱臭を十分に行うことができる。
【００５５】
ハウジング（１１０）は、第１固定部（１６１）、第２固定部（１６２）、第３固定部（１６３）、第４固定部（１６４）、第１内壁（１７１）及び第２内壁（１７２）をさらに含んでもよい。
【００５６】
第１固定部（１６１）は、ファン（１２０）を固定するファン固定部である。第１固定部（１６１）は、ファン（１２０）の両方の側面が挿入されるように形成される。すなわち、ファン（１２０）は、第１固定部（１６１）に挿入されて立てられた形態でハウジング（１１０）の内部に固定される。第１固定部（１６１）に挿入されたファン１２０は、上面がハウジング（１１０）の内部の上面と接し、ファン（１２０）の下面はハウジング（１１０）の内部の下面と接し得る。
【００５７】
又は、第１固定部（１６１）は、ファン（１２０）の両方の側面及び下面が挿入されるように形成されてもよい。この場合、ファン（１２０）は、上面がハウジング（１１０）の内部の上面と接するように形成され、ファン（１２０）の下面は第１固定部（１６１）の下面に接するようになる。このとき、第１固定部（１６１）の下面はハウジング（１１０）の内部の下面と接するようになる。
【００５８】
第１固定部（１６１）の両側には第１内壁（１７１）が形成される。第１内壁（１７１）は、第１固定部（１６１）の一方の面からハウジング（１１０）の内部の一方の面に延長されるように形成される。また、第１内壁（１７１）は、第１固定部（１６１）の他方の面からハウジング（１１０）の内部の他方の面に延長されるように形成される。また、第１内壁（１７１）は、上面がハウジング（１１０）の内部の上面と接し、下面がハウジング（１１０）の内部の下面と接するように形成される。
【００５９】
このように形成されたファン（１２０）、第１固定部（１６１）及び第１内壁（１７１）により、光触媒フィルター（１３０）及び光源モジュール（１４０）によって一次脱臭された空気は、ファン（１２０）を介してのみイオン発生器（１５０）の方向に移動し得る。
【００６０】
光触媒フィルター（１３０）と光源モジュール（１４０）との光触媒反応はイオンに影響を及ぼし得る。すなわち、光触媒反応によってイオンが分解され得る。また、イオンが光触媒反応に対して有機化合物と競合するようになり、有機化合物の光触媒反応を妨害し得る。しかし、本発明の実施形態では、ファン（１２０）、第１固定部（１６１）及び第１内壁（１７１）により、イオン発生器（１５０）のイオンが、光触媒フィルター（１３０）及び光源モジュール（１４０）が配置された空間に入り込むことを防止することができる。よって、本発明の実施形態に係る脱臭モジュール（１００）では、光触媒反応が空気中の有機化合物とのみ行われるので、光触媒反応による脱臭効率がイオンによって減少することを防止することができる。
【００６１】
第２固定部（１６２）は、光源モジュール（１４０）を固定する光源モジュール固定部である。第２固定部（１６２）は、光源モジュール（１４０）の両方の側面が挿入されるように形成される。また、第２固定部（１６２）は、光源モジュール（１４０）が光触媒フィルター（１３０）の最大面積に光を照射できる位置に固定されるようにする。例えば、光源モジュール（１４０）は、第２固定部（１６２）に挿入されたとき、光触媒フィルター（１３０）の中央に対応する高さに位置し得る。
【００６２】
第２固定部（１６２）は、光源モジュール（１４０）を固定できるならば、可能な限り小さく形成されてもよい。このように形成された第２固定部（１６２）は、空気の流れに対する妨害を低減し、渦流現象を減少させることができる。
【００６３】
第３固定部（１６３）は、光触媒フィルター（１３０）を固定する光触媒フィルター固定部である。第３固定部（１６３）は、光触媒フィルター（１３０）の両方の側面が挿入されるように形成される。
【００６４】
又は、第３固定部（１６３）は、吸入口（１１１）が形成されたハウジング（１１０）の一方の面と離隔するように形成され、光触媒フィルター（１３０）が離隔空間に挿入されてもよい。
【００６５】
又は、光触媒フィルター（１３０）が、全ての側面がハウジング（１１０）の内部面と接触するように形成されるならば、第３固定部（１６３）は省略されてもよい。
【００６６】
第４固定部（１６４）は、イオン発生器（１５０）を固定するイオン発生器固定部である。第４固定部（１６４）は、イオン発生器（１５０）の側面のうち一部分を覆うように形成される。しかし、第４固定部（１６４）の構造がこれに限定されることはなく、イオン発生器（１５０）を固定できるならば、如何なる構造にも形成可能である。
【００６７】
第２内壁（１７２）は、ハウジング（１１０）の内部の両方の側面から延長され、イオン発生器（１５０）の両方の側面と接するように形成される。また、第２内壁（１７２）は、イオン発生器（１５０）より高くなるように形成される。このように形成された第２内壁（１７２）により、ファン（１２０）を通過した全ての空気は第２内壁（１７２）の間を通過するようになる。このとき、イオン排出口（１１５）がイオン発生器（１５０）の上面に位置するので、全ての空気はイオン排出口（１１５）の上部を通過するようになる。よって、第２内壁（１７２）の間を通過する全ての空気がイオンと反応するようになるので、脱臭モジュール（１００）の脱臭効率を向上することができる。
【００６８】
本発明の実施形態では、第１固定部（１６１）〜第４固定部（１６４）、第１内壁（１７１）及び第２内壁（１７２）の全てを個別的な構成部を説明及び図示している。しかし、第１固定部（１６１）〜第４固定部（１６４）、第１内壁（１７１）及び第２内壁（１７２）は、互いにハウジング（１１０）と一体型であってもよい。
【００６９】
本発明の実施形態に係る脱臭モジュール（１００）の内部には、制御基板（図示せず）及び電線（図示せず）が配置されてもよい。制御基板と各構成部は電線で接続される。制御基板は、電線を介して各構成部に電源を供給したり、電源供給を停止する。
【００７０】
上述したように、本発明の第１実施形態に係る脱臭モジュール（１００）においては、光触媒及びイオンを用いて空気の脱臭が二重で行われるので、脱臭効率が向上する。また、脱臭モジュール（１００）は、光触媒フィルター（１３０）、光源モジュール（１４０）、及びファン（１２０）の配置の最適化によって脱臭効率が最適化される。また、脱臭モジュール（１００）においては、第１内壁（１７１）及び第２内壁（１７２）によってハウジング１１０の内部を通過する全ての空気の二重脱臭が行われるので、脱臭効率が向上する。
【００７１】
以下では、他の実施形態に対する説明において、以前の実施形態と同一の構成部及び同一の構成部に対する重複した説明は省略する。省略した構成部及び構成部に対する説明は、以前の各実施形態を参照する。
【００７２】
図５は、本発明の第２実施形態に係る脱臭モジュールを示した例示図である。
【００７３】
図５を参照すると、第２内壁（２７２）は、イオン発生器（１５０）と同じか、イオン発生器（１５０）より低くなるように形成される。すなわち、第２内壁（２７２）は、イオン発生器（１５０）のイオン排出口（１１５）と同じかそれより低い高さに位置する。
【００７４】
イオン発生器（１５０）から放出されたイオンは、空気中のイオン濃度差によってうまく拡散される。しかし、イオン発生器（１５０）の体積が他の構成部に比べて大きく、イオン排出口（１１５）が高く位置するようになる。よって、イオンは、うまく拡散される場合でも、ハウジング（１１０）の下面まで均一な濃度で拡散されることは難しい。よって、第２内壁（２７２）は、イオンがハウジング（１１０）の下面まで拡散されることを防止し、一定高さ以上で均一な濃度を有するように構成することができる。
【００７５】
しかし、第２内壁（２７２）の高さが高すぎると、空気が移動する通路が狭くなり、空気の圧力損失が発生し得る。
【００７６】
したがって、第２内壁（２７２）は、イオンが均一な濃度でうまく拡散されるようにし、空気の圧力損失を防止するために、イオン発生器（１５０）と同じかそれより低くなるように形成される。
【００７７】
このように形成された第２内壁（２７２）により、空気が圧力損失無く最大限に広い面積にわたってイオンと反応することができるので、脱臭モジュール（２００）の脱臭効率が向上し得る。
【００７８】
図６〜図８は、本発明の第３実施形態及び第４実施形態に係る脱臭モジュールを示した例示図である。
【００７９】
図６及び図７は、第３実施形態に係る脱臭モジュール（３００）の平面図及び側面図で、図８は、第４実施形態に係る脱臭モジュール（４００）の側面図である。
【００８０】
第３実施形態及び第４実施形態に係る脱臭モジュール（３００、４００）は、流路ガイド（３８０、４８０）を含む。
【００８１】
流路ガイド（３８０、４８０）は、ファン（１２０）とイオン発生器（１５０）との間に形成される。流路ガイド（３８０、４８０）は、一側がハウジング（１１０）の内部の下面と接し、他側がイオン発生器（１５０）の一方の面の上端と接するように形成される。このように形成された流路ガイド（３８０、４８０）は、一側と他側が位置した高さが異なる傾斜した構造を有する。
【００８２】
第３実施形態に係る脱臭モジュール（３００）の流路ガイド（３８０）は、上面が傾斜するように配置された平面構造である。
【００８３】
また、第４実施形態に係る脱臭モジュール（４００）の流路ガイド（４８０）は、上面が下側に凹状の曲面構造を有する。
【００８４】
ファン（１２０）から排出された空気は、流路ガイド（３８０、４８０）によってイオン発生器（１５０）の上面に移動するように誘導される。このような流路ガイド（３８０、４８０）は、空気がイオン発生器１５０の側面にぶつかることによって渦流現象が発生し、空気の圧力損失が発生することを防止する。また、流路ガイド（３８０、４８０）によって空気の流れの干渉を最小化することによって、ファン（１２０）を通過した全ての空気がイオン発生器（１５０）によって二次脱臭されることができる。よって、脱臭モジュール（３００、４００）は、流路ガイド（３８０、４８０）によって脱臭効率が向上し得る。特に、第４実施形態の脱臭モジュール（４００）は、流路ガイド（４８０）が曲面構造であるので、空気の圧力損失の発生をさらに効果的に防止することができる。
【００８５】
図９〜図１１は、本発明の第５実施形態〜第７実施形態に係る脱臭モジュールを示した例示図である。
【００８６】
図９の第５実施形態に係る脱臭モジュール（５００）は、光触媒フィルター（１３０）がハウジング（１１０）の内部の一方の面に配置され、光源モジュール（１４０）は、ハウジング（１１０）の内部の他方の面に配置される。
【００８７】
また、図１０の第６実施形態に係る脱臭モジュール（６００）は、光触媒フィルター（１３０）がハウジング（１１０）の下面に配置され、光源モジュール（１４０）がハウジング（１１０）の上面に配置される。
【００８８】
また、図１１の第７実施形態に係る脱臭モジュール（７００）は、光触媒フィルター（１３０）がハウジング（１１０）の上面に配置され、光源モジュール（１４０）はハウジング（１１０）の下面に配置される。
【００８９】
図１０及び図１１では、光触媒フィルター（１３０）及び光源モジュール（１４０）の位置のみを示している。他の各構成部の配置は以前の実施形態の場合と同一であるので、図１０及び図１１ではそれについての説明を省略する。
【００９０】
第５実施形態〜第７実施形態において、光源モジュール（１４０）及び光触媒フィルター（１３０）の位置によって第２固定部（１６２）及び第３固定部（５６３）の位置も変更される。
【００９１】
また、光触媒フィルター（１３０）がハウジング（１３０）の内部面に接触するように配置される場合、第３固定部（５６３）の構造と以前の実施形態の第３固定部（１６３）の構造とが異なってもよい。図９〜図１１を参照すると、第３固定部（５６３）は、ハウジング（１１０）の内部から突出し、一端が曲がった構造で形成される。図９では、光触媒フィルター（１３０）の一方の面及び背面がハウジング（１１０）の内部面と接触するので、第３固定部（５６３）は、光触媒フィルター（１３０）の他方の面のみが挿入されるように形成される。図１０及び図１１では、光触媒フィルター（１３０）の背面のみがハウジング（１１０）の内部面と接触するので、第３固定部（５６３）は、光触媒フィルター（１３０）の両方の側面が挿入されるように形成される。
【００９２】
このように、光触媒フィルター（１３０）が配置される位置に合わせて第３固定部（５６３）の構造も変更され得る。光触媒フィルター（１３０）のみならず、他の各固定部の構造も、各構成部の構造及び配置される位置に合わせて変更され得る。
【００９３】
光源モジュール（１４０）は、放熱のためにハウジング（１１０）の内部面と離隔するように配置されてもよい。しかし、光源モジュール（１４０）の放熱機能が十分であるならば、ハウジング（１１０）の内部面と離隔するように配置されなくてもよい。
【００９４】
光触媒フィルター（１３０）と光源モジュール（１４０）は互いに向かい合うように配置され、光源モジュール（１４０）の紫外線は光触媒フィルター（１３０）に照射される。そして、光触媒フィルター（１３０）と光源モジュール（１４０）との間にはハウジング（１１０）の吸入口（１１１）が位置するようになる。よって、吸入口（１１１）を介してハウジング１１０の内部に入ってきた空気は、光触媒フィルター（１３０）と光源モジュール（１４０）との間を通過してファン（１２０）に吸入される。
【００９５】
このとき、空気は、光触媒フィルター（１３０）と光源モジュール（１４０）との間を移動しながら光触媒反応で作られた活性酸素と反応して脱臭及び殺菌される。また、光源モジュール（１４０）が殺菌機能を有する紫外線を放出する場合、空気は、光触媒フィルター（１３０）と光源モジュール（１４０）との間を移動しながら紫外線によって殺菌される。
【００９６】
本実施形態に係る脱臭モジュール（５００、６００、７００）は、吸入口（１１１）とファン（１２０）との間に空気の流れを妨害する程度の構成が配置されていない。よって、本発明の実施形態に係る脱臭モジュール（５００、６００、７００）は、空気の流入速度が速く、空気の圧力損失が少ないので、脱臭効率が向上する。また、脱臭モジュール（５００、６００、７００）は、空気の速い流入速度で周辺の空気の循環速度も速いので、冷蔵庫、衣装ダンス、車両などの空間での空気脱臭に効果的である。
【００９７】
また、脱臭モジュール（５００、６００、７００）は、車両の内部のように主に反応速度が速い分子を含む環境に効果的である。
【００９８】
図１２及び図１３は、第８実施形態及び第９実施形態に係る脱臭モジュールを示した例示図である。
【００９９】
図１２の第８実施形態に係る脱臭モジュール（８００）は、光触媒フィルター（１３０）がハウジング（１１０）の内部の一方の面及び他方の面にそれぞれ配置され、光源モジュール（８４０）は２個の光触媒フィルター（１３０）の間に配置される。
【０１００】
また、図１３の第９実施形態に係る脱臭モジュール（９００）は、光触媒フィルター（１３０）がハウジング（１１０）の内部の上面及び下面にそれぞれ配置され、光源モジュール（８４０）は２個の光触媒フィルター（１３０）の間に配置される。
【０１０１】
第８実施形態及び第９実施形態において、光源モジュール（８４０）は、紫外線光源（８４２）が基板（８４１）の両面に全て実装される。図１２及び図１３では、基板（８４１）の一つの面に実装された紫外線光源（８４２）と基板（８４１）の他面に実装された紫外線光源（８４２）とが同一の位置に形成されたことを示している。しかし、光源モジュール（８４０）の放熱のために、基板（８４１）の一つの面に実装された紫外線光源（８４２）と基板（８４１）の他面に実装された紫外線光源（８４２）とは交互に配置されることも可能である。
【０１０２】
第８実施形態では、基板（８４１）の一つの面に実装された紫外線光源（８４２）は、ハウジング（１１０）の内部の一方の面に配置された光触媒フィルター（１３０）に紫外線を照射する。また、基板（８４１）の他面に実装された紫外線光源（８４２）は、ハウジング（１１０）の内部の他方の面に配置された光触媒フィルター（１３０）に紫外線を照射する。
【０１０３】
第９実施形態では、基板（８４１）の一つの面である上面に実装された紫外線光源（８４２）は、ハウジング（１１０）の内部の上面に配置された光触媒フィルター（１３０）に紫外線を照射する。また、基板（８４１）の他面である下面に実装された紫外線光源（８４２）は、ハウジング（１１０）の内部の下面に配置された光触媒フィルター（１３０）に紫外線を照射する。
【０１０４】
第８実施形態及び第９実施形態において、光源モジュール（８４０）及び光触媒フィルター（１３０）の個数及び位置によって第２固定部（１６２）及び第３固定部（５６３）の個数及び位置も変更される。
【０１０５】
このような構造の脱臭モジュール（８００、９００）においては、光触媒フィルター（１３０）と光源モジュール（８４０）との間の距離が第５実施形態の場合よりも近くなる。よって、光触媒フィルター（１３０）に十分な光量の紫外線が照射されることができる。
【０１０６】
また、２個の光触媒フィルター（１３０）及びそれらの間に配置された光源モジュール（８４０）により、吸入口（８１１）を通過した空気が光源モジュール（８４０）を基準にして分かれてファン（１２０）に移動する。このとき、光源モジュール（８４０）及び第２固定部（１６２）の構造によって２個の通路が完全に遮断されるわけではない。しかし、光源モジュール（８４０）及び第２固定部（１６２）の構造を変更するか、他の構成部を追加することによって、２個の通路を完全に遮断することも可能である。
【０１０７】
また、脱臭モジュール（８００、９００）は、吸入口（８１１）がハウジング（１１０）の一方の面に形成され、光源モジュール（８４０）を基準にして両側に分けられて形成されてもよい。すなわち、吸入口（８１１）は、光源モジュール（８４０）と光触媒フィルター（１３０）との間にそれぞれ形成されてもよい。よって、吸入口（８１１）が不必要な位置に形成されなくなる。
【０１０８】
本発明の実施形態に係る脱臭モジュール（８００、９００）は、２個の光触媒フィルター（１３０）及びそれらの間に配置された光源モジュール（８４０）を備えることによって、光触媒フィルター（１３０）に十分な光量の紫外線を照射することができ、脱臭効率が向上する。また、脱臭モジュール（８００、９００）において、空気が、光源モジュール（８４０）によって光触媒反応が起こる２個の通路に分けられて移動するので、脱臭効率が向上する。
【０１０９】
また、脱臭モジュール（８００、９００）は、吸入口（８１１）とファン（１２０）との間に空気の流れを妨害する程度の構成がないので、空気の流入速度が速く、周辺の空気の循環速度も速い。また、脱臭モジュール（８００、９００）は、２個の光触媒フィルター（１３０）を用いる。よって、脱臭モジュール（８００、９００）は、空気の速い循環速度及び２個の光触媒フィルター（１３０）によって空気の迅速な脱臭が可能であり、脱臭効率が向上する。
【０１１０】
本発明の実施形態において、光源モジュール（８４０）が、両面に紫外線光源（８４２）が実装された一つの基板（８４１）を含むことを例示として説明した。しかし、光源モジュール（８４０）は、一つの面に紫外線光源（８４２）が実装された基板（８４１）を２個含み、２個の基板（８４１）が、他面が互いに接触するように配置されたものであってもよい。
【０１１１】
図１４及び図１５は、第１０実施形態及び第１１実施形態に係る脱臭モジュールを示した例示図である。
【０１１２】
図１４の第１０実施形態に係る脱臭モジュール（１０００）は、光源モジュール（１４０）がハウジング（１１０）の内部の一方の面及び他方の面にそれぞれ配置される。また、脱臭モジュール（１００）においては、２個の光源モジュール（１４０）の間に光触媒フィルター（１３０）が配置される。
【０１１３】
図１５の第１１実施形態に係る脱臭モジュール（１１００）は、光源モジュール（１４０）がハウジング（１１０）の内部の上面及び下面にそれぞれ配置される。また、脱臭モジュール（１００）においては、２個の光源モジュール（１４０）の間に光触媒フィルター（１３０）が配置される。
【０１１４】
第１０実施形態及び第１１実施形態に係る脱臭モジュール（１０００、１１００）は、第８実施形態及び第９実施形態に係る脱臭モジュール（８００、９００）と同様に、光触媒フィルター（１３０）と光源モジュール（１４０）との間の距離が第５実施形態の場合よりも近くなる。よって、光源モジュール（１４０）は、光触媒フィルター（１３０）に十分な光量の紫外線を照射することができる。また、空気も、光触媒フィルター（１３０）と光源モジュール（１４０）との間の通路に沿って移動しながら脱臭される。
【０１１５】
また、脱臭モジュール（１０００、１１００）においては、吸入口（８１１）が光触媒フィルター（１３０）と光源モジュール（１４０）との間にそれぞれ形成されてもよい。光触媒フィルター（１３０）が厚いので、吸入口（８１１）の一部が光触媒フィルター（１３０）によって塞がれ得る。光触媒フィルター（１３０）によって塞がれた吸入口（８１１）では空気が通過できないので、光触媒フィルター（１３０）が配置された部分には吸入口（８１１）を形成しなくてもよい。よって、脱臭モジュール（１０００、１１００）においては、ハウジング（１１０）に行われる不必要な加工を省略してもよい。また、ハウジング（１１０）は、吸入口（８１１）が形成された一方の面において２個の吸入口（８１１）の間に加工されていない部分が存在するので、吸入口（８１１）が広い面積で形成される他の実施形態のハウジング（１１０）の一方の面よりも構造的に堅固である。よって、本発明の実施形態に係る脱臭モジュール（１０００、１１００）は、外部の衝撃により、吸入口（８１１）が形成されたハウジング（１１０）の一方の面が損傷されることを防止することができる。
【０１１６】
図１６は、第１２実施形態に係る脱臭モジュールを示した例示図である。
【０１１７】
第１２実施形態に係る脱臭モジュール（１２００）においては、光触媒フィルター（１３０）がハウジング（１１０）の内部の一方の面及び他方の面にそれぞれ配置される。また、脱臭モジュール（１２００）は、２個の光触媒フィルター（１３０）の間に２個の光源モジュール（１４０）が配置される。
【０１１８】
２個の光源モジュール（１４０）は、互いに離隔するように配置され、互いに反対方向に紫外線を照射する。すなわち、それぞれの光源モジュール（１４０）は、近い光触媒フィルター（１３０）に向かって紫外線を照射するように配置される。これによって、光源モジュール（１４０）が光触媒フィルター（１３０）とさらに近く配置され、光触媒反応がさらに活発に起こり得る。
【０１１９】
また、脱臭モジュール（１２００）は、それぞれの光源モジュール（１４０）と光触媒フィルター（１３０）との間の通路に沿って空気が移動するように形成される。このために、吸入口（８１１）が光源モジュール（１４０）と光触媒フィルター（１３０）との間にそれぞれ形成されてもよい。
【０１２０】
したがって、脱臭モジュール（１２００）においては、光触媒フィルター（１３０）に十分な光量の紫外線が照射され得る。これによって、光触媒反応が起こる２個の通路を介して空気が移動するので、空気の脱臭効率が向上し得る。
【０１２１】
また、脱臭モジュール（１２００）は、吸入口（８１１）とファン（１２０）との間に空気の流れを妨害する程度の構成がないので、空気の流入速度が速く、周辺の空気の循環速度も速い。また、脱臭モジュール（１２００）は、２個の光触媒フィルター（１３０）を用いる。よって、脱臭モジュール（１２００）は、空気の速い循環速度及び２個の光触媒フィルター（１３０）によって空気の迅速な脱臭が可能であり、脱臭効率が向上する。
【０１２２】
２個の光源モジュール（１４０）の間の離隔距離は、光触媒反応のために必要な紫外線の光量及び一度に脱臭可能な空気量などを考慮して変更され得る。
【０１２３】
第１２実施形態に係る脱臭モジュール（１２００）も、吸入口（８１１）がハウジング（１１０）の一方の面においてそれぞれの光源モジュール（１４０）と光触媒フィルター（１３０）との間に形成されてもよい。すなわち、脱臭モジュール（１２００）は、ハウジング（１１０）の一方の面において２個の光源モジュール（１４０）の間に対応する位置には吸入口（８１１）が形成されない構造であってもよい。よって、第１２実施形態に係る脱臭モジュール（１２００）も、外部衝撃からハウジング（１１０）が容易に損傷されることを防止することができる。
【０１２４】
図１７及び図１８は、第１３実施形態に係る脱臭モジュールを示した例示図である。
【０１２５】
図１７及び図１８を参照すると、第１３実施形態に係る脱臭モジュール（１３００）は、光源モジュール（１４０）が第２固定部（１３１０）及び第５固定部（１３３０）で固定される。ここで、第２固定部（１３１０）は、光源モジュール（１４０）の両方の側面が挿入されるように形成された第１光源モジュール固定部である。また、第５固定部（１３３０）は、光源モジュール（１４０）の上部側面と接触するように形成された第２光源モジュール固定部である。
【０１２６】
第２固定部（１３１０）は、挿入部（１３１１）と支持部（１３１２）とに区分される。第２固定部（１３１０）において、挿入部（１３１１）は、光源モジュール（１４０）の両方の側面が挿入される部分である。第２固定部（１３１０）において、支持部（１３１２）は、挿入部（１３１１）の下部に形成され、挿入部（１３１１）を支持する部分である。支持部（１３１２）の高さによって光源モジュール（１４０）が位置する高さが変更される。このように形成された支持部（１３１２）により、光源モジュール（１４０）がハウジング１１０の下面方向に落下することが防止される。
【０１２７】
第５固定部（１３３０）は、ハウジング（１１０）の内部の下面から上部方向に突出するように形成される。第５固定部（１３３０）の上端は曲がった構造を有する。第５固定部（１３３０）の曲がった上端の内部面は、光源モジュール（１４０）の上部側面と接触する。又は、第５固定部（１３３０）は、弾性力を有する材質で形成され、曲がった上端の内部面が光源モジュール（１４０）の上部側面を加圧するように形成されてもよい。第５固定部（１３３０）は、光源モジュール（１４０）がハウジング（１１０）の上面方向に離脱することを防止する。
【０１２８】
本発明の実施形態によると、脱臭モジュール（１３００）がひっくり返されたり衝撃を受けた場合にも、光源モジュール（１４０）は、第２固定部（１３１０）及び第５固定部（１３３０）によって定められた位置に固定された状態を維持することができる。
【０１２９】
また、第１３実施形態に係る脱臭モジュール（１３００）においては、第３固定部（１３２０）によって光触媒フィルター（１３０）が固定される。ここで、第３固定部（１３２０）は、光触媒フィルター（１３０）を固定する光触媒フィルター固定部であって、ハウジング（１１０）の吸入口（１１１）から離隔した位置に形成される。光触媒フィルター（１３０）は、第３固定部（１３２０）とハウジング（１１０）の吸入口（１１１）が形成された内部面との間に挿入され、ハウジング（１１０）の内部に固定される。
【０１３０】
第３固定部（１３２０）は、吸入口（１１１）と離隔した位置に形成され、ハウジング（１１０）の内部の両方の側面から内部方向に突出するように形成される。また、それぞれの第３固定部（１３２０）は、曲がって多段構造で形成される。このとき、それぞれの第３固定部（１３２０）の一端はハウジング１１０の一方の面及び他方の面に接し、それぞれの第３固定部（１３２０）の他端は互いに向かい合うように形成される。このとき、第３固定部（１３２０）の曲がった部分の内部面は、光触媒フィルター（１３０）の側面及び背面の一部を覆うようになる。第３固定部（１３２０）の曲がった各部分の間の間隔は、光触媒フィルター（１３０）の幅に応じて変更され得る。よって、第３固定部（１３２０）により、光触媒フィルター（１３０）の幅がハウジング（１１０）の内部の幅より小さくても、光触媒フィルター（１３０）がハウジング（１１０）の内部に固定されることができる。
【０１３１】
また、光触媒フィルター（１３０）は、前面がハウジング（１１０）において吸入口（１１１）が形成された内部面と密着するようになる。よって、吸入口（１１１）を通過した全ての空気が光触媒フィルター（１３０）を通過するようになるので、脱臭モジュール（１３００）の脱臭効率が向上する。
【０１３２】
このように、各実施形態を通じて説明した脱臭モジュールは電子装置に装着され得る。ここで、電子装置は、自動車、冷蔵庫のように内部空間を有し、電気で動作する装置である。例えば、電子装置は、内部空間をなす電子装置ハウジングを含み、脱臭モジュールは電子装置ハウジングに装着される。脱臭モジュールは、電子装置ハウジングの内部空間の空気を吸入して脱臭した後、これを電子装置ハウジングの内部空間に再び排出する。このような動作により、脱臭モジュールは、電子装置の内部空間の空気を脱臭することができる。
【０１３３】
また、脱臭モジュールは、電子装置のみならず、家具及び室内のように、物を収納したり、人が活動する空間に装着され得る。例えば、脱臭モジュールは、箪笥又は部屋の中に配置されてもよい。
【０１３４】
以上説明したように、本発明は、添付の図面を参照した実施形態によって具体的に説明したが、上述した実施形態は、本発明の好ましい例を挙げて説明したものに過ぎないので、本発明が上記実施形態にのみ限定されると理解してはならず、本発明の権利範囲は、後述する特許請求の範囲及びその等価概念で理解すべきである。
【図１】
2020517367.tif 000003
【図２】
2020517367.tif 000004
【図３】
2020517367.tif 000005
【図４】
2020517367.tif 000006
【図５】
2020517367.tif 000007
【図６】
2020517367.tif 000008
【図７】
2020517367.tif 000009
【図８】
2020517367.tif 000010
【図９】
2020517367.tif 000011
【図１０】
2020517367.tif 000012
【図１１】
2020517367.tif 000013
【図１２】
2020517367.tif 000014
【図１３】
2020517367.tif 000015
【図１４】
2020517367.tif 000016
【図１５】
2020517367.tif 000017
【図１６】
2020517367.tif 000018
【図１７】
2020517367.tif 000019
【図１８】
2020517367.tif 000020
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
吸入口及び排出口が形成されたハウジング、
前記吸入口と前記排出口との間に配置されるファン、
前記吸入口と前記ファンとの間に配置される光触媒フィルター、
基板及び紫外線光源を含み、前記光触媒フィルターに紫外線を照射する光源モジュール、及び
前記ファンと前記排出口との間に配置されるイオン発生器、を含む脱臭モジュール。
【請求項２】
前記光触媒フィルターは、前記ハウジングの一方の面に配置され、
前記光源モジュールは、前記ハウジングの他方の面に配置される、請求項１に記載の脱臭モジュール。
【請求項３】
前記光触媒フィルターは、前記ハウジングの一方の面及び他方の面にそれぞれ配置され、
前記光源モジュールは、前記ハウジングの一方の面に配置された前記光触媒フィルターと前記ハウジングの他方の面に配置された前記光触媒フィルターとの間に配置される、請求項１に記載の脱臭モジュール。
【請求項４】
前記光源モジュールは、前記ハウジングの一方の面に配置された前記光触媒フィルター及び前記ハウジングの他方の面に配置された前記光触媒フィルターにそれぞれ紫外線を照射する、請求項３に記載の脱臭モジュール。
【請求項５】
前記光触媒フィルターが前記ハウジングの上面に配置される場合、前記光源モジュールは前記ハウジングの下面に配置され、
前記光触媒フィルターが前記ハウジングの下面に配置される場合、前記光源モジュールは前記ハウジングの上面に配置される、請求項１に記載の脱臭モジュール。
【請求項６】
前記光触媒フィルターは、前記ハウジングの上面及び下面にそれぞれ配置され、
前記光源モジュールは前記光触媒フィルター間に配置され、
前記光源モジュールは、前記ハウジングの上面に配置された前記光触媒フィルター及び前記ハウジングの下面に配置された前記光触媒フィルターにそれぞれ紫外線を照射する、請求項１に記載の脱臭モジュール。
【請求項７】
前記光源モジュールは、前記ハウジングの一方の面及び他方の面又は前記ハウジングの上面及び下面にそれぞれ配置され、
前記光触媒フィルターは、前記光源モジュール間に配置される、請求項１に記載の脱臭モジュール。
【請求項８】
前記ファンと前記イオン発生器との間に形成される流路ガイドをさらに含む、請求項１に記載の脱臭モジュール。
【請求項９】
前記流路ガイドは、一側が前記ハウジングの下面と接し、他側が前記イオン発生器の一方の面の上端と接するように形成される、請求項８に記載の脱臭モジュール。
【請求項１０】
前記流路ガイドの上面は、傾斜するように配置された平面であるか、下側に凹状の曲面である、請求項９に記載の脱臭モジュール。
【請求項１１】
前記ハウジングは、前記ファンを固定するファン固定部をさらに含み、
前記ファン固定部は、前記ファンの少なくとも両方の側面が挿入されるように形成され
た、請求項１に記載の脱臭モジュール。
【請求項１２】
前記ハウジングは、前記ファン固定部の両側から前記ハウジングの一方の面及び他方の面に延長されるように形成された第１内壁をさらに含む、請求項１１に記載の脱臭モジュール。
【請求項１３】
前記第１内壁の上面は前記ハウジングの上面と接し、前記第１内壁の下面は前記ハウジングの下面と接する、請求項１２に記載の脱臭モジュール。
【請求項１４】
前記ハウジングは、前記ハウジングの一方の面及び他方の面から延長され、前記イオン発生器の両方の側面と接するように形成された第２内壁をさらに含む、請求項１に記載の脱臭モジュール。
【請求項１５】
前記第２内壁は、前記イオン発生器と同一であるか、イオン発生器より低い高さを有するように形成された、請求項１４に記載の脱臭モジュール。
【請求項１６】
前記第２内壁は、前記イオン発生器よりも高い高さを有するように形成された、請求項１４に記載の脱臭モジュール。
【請求項１７】
前記光源モジュールと前記光触媒フィルターとの間の距離は、前記光源モジュールと前記ファンとの間の距離より遠い、請求項１に記載の脱臭モジュール。
【請求項１８】
前記光源モジュールと前記ファンとの間の距離は、前記光源モジュールと前記光触媒フィルターとの間の距離の０．５倍以下である、請求項１７に記載の脱臭モジュール。
【請求項１９】
前記光源モジュールを固定する光源モジュール固定部をさらに含む、請求項１に記載の脱臭モジュール。
【請求項２０】
前記光源モジュール固定部は、前記光源モジュールの両方の側面が挿入されるように形成された挿入部を含む第１光源モジュール固定部を含む、請求項１９に記載の脱臭モジュール。
【請求項２１】
前記第１光源モジュール固定部は、前記挿入部の下部に形成され、前記挿入部を支持する支持部をさらに含む、請求項２０に記載の脱臭モジュール。
【請求項２２】
前記光源モジュール固定部は、前記ハウジングの下面から上部に突出するように形成され、前記光源モジュールの上部側面と接触する第２光源モジュール固定部をさらに含む、請求項２０に記載の脱臭モジュール。
【請求項２３】
前記光触媒モジュールを固定する光触媒モジュール固定部をさらに含む、請求項１に記載の脱臭モジュール。
【請求項２４】
前記光触媒モジュール固定部は、前記光触媒モジュールの両方の側面が挿入されるように形成された、請求項２３に記載の脱臭モジュール。
【請求項２５】
前記光触媒モジュール固定部は、前記ハウジングの吸入口から離隔した位置に形成され、
前記光触媒モジュール固定部と前記吸入口との間に前記光触媒モジュールが挿入される、請求項２３に記載の脱臭モジュール。
【請求項２６】
内部空間を有する電子装置ハウジング、及び
前記電子装置ハウジングに装着され、前記内部空間の空気を脱臭する脱臭モジュール、を含み、
前記脱臭モジュールは、
前記内部空間の空気が流入する吸入口、及び脱臭された空気が排出される排出口が形成されたハウジング、
前記吸入口と前記排出口との間に配置されるファン、
前記吸入口と前記ファンとの間に配置される光触媒フィルター、
基板及び紫外線光源を含み、前記光触媒フィルターに紫外線を照射する光源モジュール、及び
前記ファンと前記排出口との間に配置されるイオン発生器、を含む電子装置。
【手続補正２】
【補正対象書類名】明細書
【補正対象項目名】００２６
【補正方法】変更
【補正の内容】
【００２６】
光源モジュールと光触媒フィルターとの間の距離は、光源モジュールとファンとの間の距離より遠い。より詳細には、光源モジュールとファンとの間の距離は、光源モジュールと光触媒フィルターとの間の距離の０．５倍以下である。
【手続補正３】
【補正対象書類名】明細書
【補正対象項目名】００５１
【補正方法】変更
【補正の内容】
【００５１】
したがって、光触媒フィルター（１３０）に紫外線が照射される面積、光量及び光源モジュール（１４０）による空気の圧力損失を考慮して光触媒フィルター（１３０）、光源モジュール（１４０）及びファン（１２０）が配置されなければならない。光源モジュール（１４０）と光触媒フィルター（１３０）との間の距離は、光源モジュール（１４０）とファン（１２０）との間の距離より遠い。例えば、光源モジュール（１４０）とファン（１２０）との間の距離は、光源モジュール（１４０）と光触媒フィルター（１３０）との間の距離の０．５倍以下である。
【手続補正４】
【補正対象書類名】明細書
【補正対象項目名】００５３
【補正方法】変更
【補正の内容】
【００５３】
イオン発生器（１５０）は、イオン排出口がハウジング（１１０）の内部の上面に向くように配置される。よって、空気がハウジング（１１０）の排出口（１１５）に移動しながらイオン排出口の上部を通過するようになり、空気とイオンが効率的に反応し得る。
【手続補正５】
【補正対象書類名】明細書
【補正対象項目名】００５７
【補正方法】変更
【補正の内容】
【００５７】
又は、第１固定部（１６１）は、ファン（１２０）の両方の側面及び下面が挿入されるように形成されてもよい。この場合、ファン（１２０）は、上面がハウジング（１１０）の内部の上面と接するように形成され、ファン（１２０）の下面は第１固定部（１６１）の内部の下面に接するようになる。このとき、第１固定部（１６１）の下面はハウジング（１１０）の内部の下面と接するようになる。
【手続補正６】
【補正対象書類名】明細書
【補正対象項目名】００６７
【補正方法】変更
【補正の内容】
【００６７】
第２内壁（１７２）は、ハウジング（１１０）の内部の両方の側面から延長され、イオン発生器（１５０）の両方の側面と接するように形成される。また、第２内壁（１７２）は、イオン発生器（１５０）より高くなるように形成される。このように形成された第２内壁（１７２）により、ファン（１２０）を通過した全ての空気は第２内壁（１７２）の間を通過するようになる。このとき、イオン排出口がイオン発生器（１５０）の上面に位置するので、全ての空気はイオン排出口の上部を通過するようになる。よって、第２内壁（１７２）の間を通過する全ての空気がイオンと反応するようになるので、脱臭モジュール（１００）の脱臭効率を向上することができる。
【手続補正７】
【補正対象書類名】明細書
【補正対象項目名】００７３
【補正方法】変更
【補正の内容】
【００７３】
図５を参照すると、第２内壁（２７２）は、イオン発生器（１５０）と同じか、イオン発生器（１５０）より低くなるように形成される。すなわち、第２内壁（２７２）は、イオン発生器（１５０）のイオン排出口と同じかそれより低い高さに位置する。
【手続補正８】
【補正対象書類名】明細書
【補正対象項目名】００７４
【補正方法】変更
【補正の内容】
【００７４】
イオン発生器（１５０）から放出されたイオンは、空気中のイオン濃度差によってうまく拡散される。しかし、イオン発生器（１５０）の体積が他の構成部に比べて大きく、イオン排出口が高く位置するようになる。よって、イオンは、うまく拡散される場合でも、ハウジング（１１０）の下面まで均一な濃度で拡散されることは難しい。よって、第２内壁（２７２）は、イオンがハウジング（１１０）の下面まで拡散されることを防止し、一定高さ以上で均一な濃度を有するように構成することができる。
【手続補正９】
【補正対象書類名】明細書
【補正対象項目名】００８７
【補正方法】変更
【補正の内容】
【００８７】
また、図１０の第６実施形態に係る脱臭モジュール（７００）は、光触媒フィルター（１３０）がハウジング（１１０）の下面に配置され、光源モジュール（１４０）がハウジング（１１０）の上面に配置される。
【手続補正１０】
【補正対象書類名】明細書
【補正対象項目名】００８８
【補正方法】変更
【補正の内容】
【００８８】
また、図１１の第７実施形態に係る脱臭モジュール（６００）は、光触媒フィルター（１３０）がハウジング（１１０）の上面に配置され、光源モジュール（１４０）はハウジング（１１０）の下面に配置される。
【手続補正１１】
【補正対象書類名】明細書
【補正対象項目名】００９１
【補正方法】変更
【補正の内容】
【００９１】
また、光触媒フィルター（１３０）がハウジング（１１０）の内部面に接触するように配置される場合、第３固定部（５６３）の構造と以前の実施形態の第３固定部（１６３）の構造とが異なってもよい。図９〜図１１を参照すると、第３固定部（５６３）は、ハウジング（１１０）の内部から突出し、一端が曲がった構造で形成される。図９では、光触媒フィルター（１３０）の一方の面及び背面がハウジング（１１０）の内部面と接触するので、第３固定部（５６３）は、光触媒フィルター（１３０）の他方の面のみが挿入されるように形成される。図１０及び図１１では、光触媒フィルター（１３０）の背面のみがハウジング（１１０）の内部面と接触するので、第３固定部（５６３）は、光触媒フィルター（１３０）の両方の側面が挿入されるように形成される。
【手続補正１２】
【補正対象書類名】明細書
【補正対象項目名】０１１２
【補正方法】変更
【補正の内容】
【０１１２】
図１４の第１０実施形態に係る脱臭モジュール（１０００）は、光源モジュール（１４０）がハウジング（１１０）の内部の一方の面及び他方の面にそれぞれ配置される。また、脱臭モジュール（１０００）においては、２個の光源モジュール（１４０）の間に光触媒フィルター（１３０）が配置される。
【手続補正１３】
【補正対象書類名】図面
【補正対象項目名】図１０
【補正方法】変更
【補正の内容】
【図１０】
2020517367.tif 000021
【手続補正１４】
【補正対象書類名】図面
【補正対象項目名】図１１
【補正方法】変更
【補正の内容】
【図１１】
2020517367.tif 000022
【国際調査報告】
2020517367.tif 000023
2020517367.tif 000024
2020517367.tif 000025
2020517367.tif 000026